(57)【要約】      （修正有）【課題】前面開口部に観音開き状の扉を有する仏壇本体内に、仏具棚などを載置した内陣を前後方向に移動可能に収納した仏壇を提供する。【解決手段】仏壇本体１０３の下方であって底板１０８の上部には少し間隔を置いて内底板１３１を固定する。内底板１３１の上面の左右には１対のレール１３３を平行に固定する。このレール１３３により、内陣１０５を仏壇本体１０３に対して前後方向に移動させることができる。内陣１０５はやや四角形をした基板１３９と、この基板１３９の両側部で垂直に立上る１対の棚側板１４１と、基板１３９の後端と棚側板１４１の後縁に接合する背板１５１、および、内側に接する内側背板１５９から構成されている。そして、基板１３９の左右の長さは内底板１３１よりも少し短く設定してあり、基板１３９が仏壇本体１０３内の空間で自由に移動できるようになる。【選択図】図１
0003161075.tif 000002
【実用新案登録請求の範囲】
【請求項１】
前面開口部に観音開き状の扉を有する仏壇本体内に、仏具棚などを載置した内陣を前後方向に移動可能に収納したことを特徴とする仏壇。
【請求項２】
前面開口部に観音開き状の扉を有する仏壇本体の裏側の開口部から仏具棚などを載置した内陣を前後方向に移動可能に収納し、仏壇本体の裏側開口部を背板により閉鎖したことを特徴とする仏壇。
【請求項３】
前記仏壇本体の内部の下面にはレールを固定し、前記内陣の下面にはレールに嵌まり合うスライダを固定し、レールとスライダにより内陣を仏壇本体に対して前後方向に移動可能としたことを特徴とする仏壇。
【請求項４】
前記仏壇本体の内部の上面には、前記内陣の移動を停止させるストッパ受けを備えていることを特徴とする請求項１ないし３の仏壇。
【請求項５】
前記内陣の下面には、仏壇本体のストッパ受けと接合して内陣の移動を停止させるストッパを備えていることを特徴とする請求項１ないし４の仏壇。
【考案の詳細な説明】
【技術分野】
【０００１】
この考案は観音扉を備えた大型の仏壇に係るものであり、特に家屋などの内壁側などに背側を向けて配置されて、複数人が集まって順に礼拝する時などに扉を開けた状態でも側面に居る人が仏壇本体の側面に邪魔されて内陣が隠れて見えなくなる状態を防ぎ、多くの列席者が内陣を見易くなるようにした仏壇に関するものである。
【背景技術】
【０００２】
一般に、大型の仏壇は縦長な箱形に構成されており、家屋などの部屋の内壁に背側を向けて配置される場合が多い。このような配置で取付けられている仏壇の場合、法要などで仏壇の扉を開けて礼拝するときに、仏壇の側面に座る人にとって内陣が見え難くなることがある。
【０００３】
すなわち、仏壇の左右方向に開く観音開き型の扉が開けられた場合、両扉を大きく開けたとしても、仏壇本体の両側板が視界を遮り、ある一定の角度の範囲内でしか内部を見ることができないものである。このため、法要などの多人数が仏壇に向かって列席するような場合では、仏壇の両脇側に座っている列席者からは仏壇内部の内陣まで見通せないことになる。すると、法要をしていても、肝心の仏像、位牌、掛け軸などが見えないことになり、不都合なことであった。
【０００４】
また、大型の仏壇であっては奥行きが深いものであり、内陣の奥まで手が届かないことがあった。特に、背の低い人にとっては仏壇の前側が邪魔となって手の届きにくいものであった。仏壇の内陣には、法具や供え物などを日常的に出し入れしなければならないが、手が届きにくいとなるとこの作業がやっかいとなっていた。場合によっては、仏具や供え物を内陣に置くために、特別に製作されたアダプタを利用することもあって日常的な不便さを感じさせるものであった。
【先行技術文献】
【特許文献】
【０００５】
【特許文献１】特開平１１−４６９６９公報
【特許文献２】特開２００２−８５２５公報
【特許文献３】特開２００２−１４２９６４公報
【特許文献４】特開２００２−１７２０３２公報
【特許文献５】特開２００３−２６５３０５公報
【特許文献６】特開２００５−２７９０６公報
【特許文献７】特開２００３−２６５３０５公報
【考案の概要】
【考案が解決しようとする課題】
【０００６】
一般に、大型の仏壇は縦長な箱形に構成されており、家屋などの部屋の内壁に背側を向けて配置される場合が多い。このような配置で取付けられている仏壇の場合、法要などで仏壇の扉を開けて礼拝するときに、仏壇の側面に座る人にとって内陣が見え難くなることがある。
【０００７】
すなわち、仏壇の左右方向に開く観音開き型の扉が開けられた場合、両扉を大きく開けたとしても、仏壇本体の両側板が視界を遮り、狭い角度の範囲内でしか内陣を見ることができないものである。このため、法要などの多人数が仏壇に向かって列席するような場合では、仏壇の両脇側に座っている列席者からは仏壇内部の内陣まで見通せないことになる。すると、法要をしていても、肝心の仏像、位牌、掛け軸などが見えないことになり、不都合なことであった。場合によっては、焼香する客の順番が乱れる等の不具合が生じて法要や儀式の進行等に支障をきたすこともある。
【０００８】
また、仏壇は折に触れて掃除等が施されるが、仏壇の内部にしつらえた内陣の空間は狭隘であるため掃除がし難くにくいものであった。図９は、従来の仏壇の構造で仏具を棚板に載せようとしている様子を示したものである。この状態では、仏壇１０１の奥行きがあるため背の低い人では奧まで手が届かず、仏具を置きにくいものとなっていた。このような場合、従来では仏具を出し入れするためのアダプタを使っていたが、アダプタを使用するとなると、仏具を落としたりすることもあり、不便なことであった。さらに、大型の仏壇を掃除するとなると身体をくの字に曲げ、奥まで頭を突っ込まなければならないことになる。背の低い人にとって内陣まで手が届かないこともあり、隅々まできれいに掃除ができないこともある。このような作業は仏壇を使用する人の身体に大きな負担をかけるものとなっていた。
【０００９】
本考案はこのような事情に鑑みてなされたものであり、仏壇本体の両側に座った人からも内陣を見易くし、内陣の掃除をし易くでき、仏具などを出し入れする際にアダプタを不要とすることができる仏壇を提供することを目的とする。
【課題を解決するための手段】
【００１０】
前記の目的を達成するために、この考案では、前面開口部に観音開き状の扉を有する仏壇本体内に、仏具棚などを載置した内陣を前後方向に移動可能に収納したことを特徴とする仏壇を提供する。
【考案の効果】
【００１１】
この考案に係る仏壇によれば、仏具棚を搭載して仏壇本体内に収納される内陣を、仏壇本体の内部で前後方向に移動可能にすることができるようにしてある。この構成により、法要などを行う際に列席者が多く、仏壇の中が見えにくい場所であっても、内陣を手前に引出す操作を行うことにより、列席者の死角を無くすことができる。内陣を手前側に引き出すことで、多くの列席者が内陣の飾りや仏像、位牌、掛け軸等の仏具を見せやすくすることができる。
【００１２】
また、内陣を仏壇本体の内部で前後方向に移動可能としたことで、内陣をそのまま仏壇本体から前方に引き出すことができるため、棚板から仏具、供え物などを出し入れする際の身体に対する負担を軽減することができる。さらに、内陣を引き出せることができるので、掃除の作業も身体に負担がかからないような自然な姿勢で行うことができ、掃除によって内陣が綺麗になったか等の確認も容易に行うことができる。
【００１３】
すなわち、本考案によれば、仏壇本体の両側に座った列席者でも内陣が見易く、かつ、内陣の掃除がし易くなる等の利便性を得ることができ、機能性に優れた仏壇を提供することができる。
【図面の簡単な説明】
【００１４】
【図１】本考案の一実施形態による仏壇の構成部材を示す分解斜視図である。
【図２】本考案の一実施形態による仏壇を中央部で切断した状態を示す縦断面図である。
【図３】本考案の一実施形態による仏壇の内陣を手前に引出した状態を示す縦断面図である。
【図４】本考案の一実施形態による仏壇の内陣を引出した状態を示す斜視図である。
【図５】本考案の一実施形態による仏壇のスライダおよびレールを示す斜視図である。
【図６】（ａ）は本考案の一実施形態による仏壇の内陣を収納した状態を示す拡大側面図であり、（ｂ）は内陣を引出した状態を示す拡大側面図である。
【図７】本考案の一実施形態による仏壇の膳引きを引出した状態を示す斜視図である。
【図８】（ａ）は本考案の一実施形態による内陣を収納した場合の視野角度を示す平面図であり、（ｂ）は内陣を引き出した場合の視野角度を示す平面図である。
【図９】従来の仏壇における仏具などを納める作業を示す説明図である。
【考案を実施するための形態】
【００１５】
以下、本考案に係る仏壇の一実施形態について、図面を参照して説明する。
【００１６】
図１は本考案の一実施形態による仏壇の主要な構成部材を示す分解斜視図である。
【００１７】
この図１に示すように、本実施形態の仏壇１０１は大別して、図１の左側に示した仏壇本体１０３と、同図中央に示した内陣１０５と、同図右側に示した背板１０７とを備える構成である。また、仏壇１０１は上部の仏壇本体１０３と下部の下台１２７とに分離され、仏壇本体１０３は下台１２７に載置されている構成である。仏壇１０１を設置する場合には、下台１２７を先ず設置し、その上に仏壇本体１０３を搭載して組み合わせている。
【００１８】
仏壇本体１０３は四角板状の底板１０８、その両側に垂直に立ち上げた側板１１７、１１７、両側板１１７、１１７の頂部に架け渡された外天板１１５とを有した前後が開口した立体形状をしている。左右の側板１１７、１１７の前縁にはそれぞれ観音扉形の一対の扉１１９、１１９が開閉自在に設けてあり、これらにより仏壇本体１０３の外面が形成されている。
【００１９】
下台１２７では、その下面には底板１０９が、底板１０９の上には中底板１１１、上底板１１２があり、上底板１１２の左右には垂直に立ち上げられた下部側板１１３から成る。これらの底板１０９、下部側板１１３などにより、前方が開口した箱形の下台１２７が形成されたことになる。また、中底板１１１および下部側板１１３で囲まれた前面部の右側には左右に開閉でき地袋鏡板１２３が設けられ、全面部の左側には引出具１２５が設けられている。
【００２０】
つぎに、仏壇本体１０３の下方であって底板１０８の上部には少し間隔を置いて内底板１３１が固定してあり、底板１０８と内底板１３１の間には平面がほぼ四角形をした膳引き１２９が前後にスライドするように収納してある。この膳引き１２９は従来から仏壇に取り付けられていて、引き出すことで供え物などを置くことがきるものである。
【００２１】
この内底板１３１の上面の左右には１対のレール１３３、１３３が平行に固定してあり、レール１３３、１３３の間であって仏壇本体１０３の前側中央部には、小片状をしたストッパ受け１３７が固定してある。このレール１３３、１３３は前述した内陣１０５を載置して、内陣１０５を仏壇本体１０３に対して前後方向に移動させるためのものである。
【００２２】
次に、前述した内陣１０５の構造を説明する。図１の中央に示すように、内陣１０５はやや四角形をした基板１３９と、この基板１３９の両側部で垂直に立上る１対の棚側板１４１、１４１と、基板１３９の後端と棚側板１４１、１４１の後縁に接合する背板１５１、および、背板１５１の内側に接する内側背板１５９から構成されている。そして、基板１３９の左右の長さは内底板１３１よりも少し短く設定してあり、基板１３９が仏壇本体１０２内の空間で自由に移動できるようにしてある。
【００２３】
基板１３９、一対の棚側板１４１、１４１、内側背板１５９により形成された空間内には、各宗派の規則に則った飾りが設えてある。この実施形態では、一つの例を図示しており、この形状にとらわれることはない。この実施形態では、内側背板１５９の前面の上方後方に複数本、例えば四本の棚天板支持柱１５３を横方向に等間隔を置いて立ててある。これらの棚天板支持柱１５３の上端部であって棚側板１４１、１４１の間には、上下に第１棚天板１５５と第２棚天板１５７とが設けられている。また、棚側板１４１、１４１の間には、例えば三段の棚板（下段棚板１４３、中段棚板１４６、上段棚板１４７）が上下に間隔を置いて水平に設けられている。
【００２４】
そして、基板１３９の下面には、一対のスライダ１４９、１４９が間隔を置いて平行になるように固定してあり、これらのスライダ１４９、１４９は前述したレール１３３、１３３に嵌め合わされるものである。このレール１３３、１３３とスライダ１４９、１４９により、基板１３９（すなわち内陣１０５全体）は内底板１３１に対して水平にスライド移動できる。
【００２５】
図２は、図１に示した各部材を組立てた状態を示す仏壇１０１の全体構成を横方向から見た縦断面図である。
【００２６】
この図２に示すように、底板１０８の上方に間隔を置いて内底板１３１が設けてあり、底板１０８と内底板１３１の間に膳引き１２９が挿通してある。内底板１３１の上面にはレール１３３が固定してあり、このレール１３３にはスライダ１４９を介して内陣１０５が搭載してある。
【００２７】
図３は内陣１０５を引き出して使用している状態を示す全体断面図であり、内陣１０５の移動を示している。この図３に示すように、この仏壇１０１を使用する時には、内陣１０５全体を仏壇１０１の前方（矢印ａ方向（図示左側））に移動させることができる。内陣１０５が図３中でａ方向に移動することで、内底板１３１の前縁は仏壇本体１０３の前端（図示左側）の位置よりもさらに前に突出する。内底板１３１が内底板１３１に対して移動する際には、スライダ１４９はレール１３３と摺動して移動することになり、両者に介在させたベアリングなどにより円滑にかつ小さな力で移動させることができる。
【００２８】
図４は、図３における動作を示す斜視図である。この図４に示すように、仏壇を使用する時には、扉１１９、１１９を左右に開き、内陣１０５を仏壇本体１０３の前面に突出させた状態となる。内底板１３１の前縁は仏壇本体１０３の前側よりも手前に移動させることができる。
【００２９】
図５はレール１３３、スライダ１４９およびストッパ機構の位置関係を示す概略斜視図である。内陣１０５が仏壇本体１０３に対して移動できることになると、内陣１０５がそのまま落下することもある。そのような事態を防止するためにストッパ機構が設けてある。
【００３０】
図５に示すように、内底板１３１の上面には平行となるように一対のレール１３３、１３３が固定してあり、これらのレール１３３、１３３の間であって内底板１３１のやや中央には小片状をしたストッパ受け１３７が固定してある。
【００３１】
一方、基板１３９の下面にはレール１３３、１３３に嵌め合わされるスライダ１４９、１４９が平行に間隔を置いて固定され、基板１３９の下面のやや後方にはストッパ受け１３７に対応する小片状のストッパ１６１が固定してある。ストッパ１６１が固定されている位置は、レール１３３、１３３に沿って基板１３９（内陣１０５）が最大に移動した時にストッパ１６１がストッパ受け１３７に当接する場所である。この構成により、内陣１０５が前方に移動しても、ストッパ１６１がストッパ受け１３７に接触し、それ以上前側に内陣１０５が移動しないように規制される。この構造により、内陣１０５が仏壇本体１０３より落下するのを防いでいる。
【００３２】
図６（ａ）は内陣１０５を仏壇本体１０３の内部に収納した状態を示す拡大断面図であり、図６（ｂ）は内陣１０５を前方に引出した状態を示す拡大断面図である。これらの図では、ストッパ１６１とストッパ受け１３７の位置関係を示している。
【００３３】
これらの図６（ａ）、（ｂ）に理解できるように、内陣１０５の基板１３９下面後端にはストッパ１６１が固定されていて、内底板１３１の上面中央にはストッパ１３７が固定してある。レール１３３に沿って内陣１０５が仏壇本体１０３の前方（図示左方向）に一定距離前進すると、ストッパ１６１がストッパ受け１３７に接触して、それ以上前方へ移動するのが停止されるようになっている。
【００３４】
次に、作用を説明する。
【００３５】
図７は、仏壇１０１に設けた膳引き１２９を前方に引出した状態を示す斜視図である。このような使用状況は従来から行われてきたことであり、この図の状況であっては内陣１０５は引き出されておらず、内陣１０５の内部は奥まって見にくいものである。また、掃除をするにも不自由であり、仏具や供え物を棚板に載せるには不便である。
【００３６】
次に、図８（ａ）では図７で示したように内陣１０５を引き出していない状態における視野の範囲を示すものである。仏壇本体１０１の左右にある側板１１７、１１７により視界が遮られ、内陣１０５の奥に置かれた仏像、位牌などが見える範囲は開き角度α１となる。これに対し、図８（ｂ）では内陣１０５を引出した状態を示すものである。この場合では、内陣１０５が引き出されたことにより、仏像、位牌などは仏壇１０１の手前に移動し、側板１１７、１１７による遮蔽が少なくなるため開き角度α２となって視界は広くなる。したがって、本実施形態によれば、内陣１０５の引出しにより仏壇内部を見渡せる視界の前面開度が従来に比して大きくなる。
【００３７】
そして、以上の実施形態によれば、使い勝手がよい仏壇を提供でき、特に構成が簡素で高機能を得ることができる。たとえば、内陣を手前に引出してくることで、法要などのときに内陣の飾りや仏像、位牌などが見易くなり、列席者の死角がなくなるため、広範囲で列席者に対応することができる。
【００３８】
また、内陣がそのまま出てくるため、身体を曲げなくとも掃除を行うことができ、身体への負担を少なくした姿勢ですることができ、綺麗になったかの確認も容易となる。
【００３９】
さらに、内陣を手前の位置に移動させることができるので、背の低い人であっても奥まで手が届き、仏具や供え物などの出し入れが容易となる。従来では、仏具、供え物などを内陣の棚に置くためにはアダプタが必要なこともあったが、この構造ではアダプタが不要となる。
【符号の説明】
【００４０】
１０１  仏壇
１０３  仏壇本体
１０５  内陣
１０７  背板
１０８  底板
１０９  底板
１１１  中底板
１１２  上底板
１１３  下部側板
１１５  外天板
１１７  側板
１１９  扉
１２１  扉
１２３  地袋鏡板
１２５  引出具
１２７  下台
１２９  膳引き
１２１  内底板
１３３  レール
１３５  内陣
１３７  ストッパ受け
１３９  基板
１４１  棚側板
１４３  下段棚板
１４５  中段棚板
１４７  上段棚板
１４９  スライダ
１５１  背板
１５３  棚天板支持柱
１５５  第１棚天板
１５７  第２棚天板
１５９  内側背板
１６１  ストッパ
【図１】
0003161075.tif 000003
【図２】
0003161075.tif 000004
【図３】
0003161075.tif 000005
【図４】
0003161075.tif 000006
【図５】
0003161075.tif 000007
【図６】
0003161075.tif 000008
【図７】
0003161075.tif 000009
【図８】
0003161075.tif 000010
【図９】
0003161075.tif 000011
【手続補正書】
【提出日】平成22年5月15日(2010.5.15)
【手続補正１】
【補正対象書類名】実用新案登録請求の範囲
【補正対象項目名】全文
【補正方法】変更
【補正の内容】
【実用新案登録請求の範囲】
【請求項１】
前面開口部に観音開き状の扉を有する仏壇本体内に、仏具棚などを載置した内陣を前後方向に移動可能に収納したことを特徴とする仏壇。
【請求項２】
前面開口部に観音開き状の扉を有する仏壇本体の裏側の開口部から仏具棚などを載置した内陣を前後方向に移動可能に収納し、仏壇本体の裏側開口部を背板により閉鎖したことを特徴とする仏壇。
【請求項３】
前面開口部に観音開き状の扉を有する仏壇本体の内部の下面にレールを固定し、仏具棚などを載置した内陣の下面にこのレールに嵌まり合うスライダを固定し、レールとスライダにより内陣を仏壇本体に対して前後方向に移動可能としたことを特徴とする仏壇。
【請求項４】
前記仏壇本体の内部の上面には、前記内陣の移動を停止させるストッパ受けを備えていることを特徴とする請求項１ないし３のいずれかに記載の仏壇。
【請求項５】
前記内陣の下面には、仏壇本体のストッパ受けと接合して内陣の移動を停止させるストッパを備えていることを特徴とする請求項１ないし４のいずれかに記載の仏壇。